(57)【要約】      （修正有）【課題】災害発生時に、逃げ込むことで身体の安全が確保されることは勿論、激流にのまれるなどによって転がり押し流されたとしても、避難者の心理的な不安感を抑止、また、危難が去って安全が確保されたときなどには安全に脱出することができる防災シェルタを提供する。【解決手段】全体が球形状または円筒形状に構成されて内部に避難空間Ｍを有するシェルタ本体１は、外側シェル部１ａと、この外側シェル部１ａとの間に介在部材３を介して円周方向に回転可能に内設される内側シェル部１ｂとから構成され、外側シェル部１ａと内側シェル部１ｂとのそれぞれの底部に相当する円周部分に重心を設定して適正状態を保つバランス部材１１ａ，１１ｂを配置している。【選択図】図１
2013199259.tif 000002
【特許請求の範囲】
【請求項１】
避難空間を内部に有する防災シェルタであって、
球形状または円筒形状に形成されるシェルタ本体に、密閉状に閉塞される出入り部を設けてなり、
前記シェルタ本体は、外側シェル部と、
該外側シェル部との間に介在部材を介して円周方向に回転可能に内設される内側シェル部と、から構成され、
前記外側シェル部と内側シェル部とのそれぞれの底部に相当する円周部分に、重心を設定して適正状態に保つバランス部材を備えていることを特徴とする防災シェルタ。
【請求項２】
前記介在部材は、前記外側シェル部の円周内面と前記内側シェル部の円周外面との間に確保される断熱隙間に転動可能に介在されて、前記外側シェル部に対し前記内側シェル部をその円周外面側から円周方向に回転可能に支持する多数の球状体からなることを特徴とする請求項１に記載の防災シェルタ。
【請求項３】
前記球状体は、前記外側シェル部の円周内面から囲繞状に立ち上げられて前記断熱隙間に独立した凹み形態にて所要数配置される各球体保持部内に転動可能に複数保持されて、前記内側シェル部をその円周外面側から円周方向に回転可能に支持するように構成されていることを特徴とする請求項２に記載の防災シェルタ。
【請求項４】
前記出入り部は、前記外側シェル部側と前記内側シェル部側にそれぞれ設けられて開閉扉により密閉状に閉塞される外側出入り口と内側出入り口からなり、
前記外側出入り口と前記内側出入り口は、前記外側シェル部と前記内側シェル部とが適正状態に保たれているときに開口連通するように、前記外側シェル部側と前記内側シェル部側の円周部分にそれぞれ開口配置されていることを特徴とする請求項１に記載の防災シェルタ。
【請求項５】
前記外側シェル部側のバランス部材は、前記シェルタ本体の地上設置用の台座に配置され、
前記台座は、前記外側シェル部の底部に相当する円周外面部分に取り付けられる内部中空の略箱型状に形成されているとともに水が出入りするための通水孔を備え、
前記内側シェル部側のバランス部材は、避難空間の床部を形成するように前記内側シェル部の円周内面部分に配置されることを特徴とする請求項１〜４のいずれかに記載の防災シェルタ。
【請求項６】
避難空間を内部に有する防災シェルタであって、
球形状または円筒形状に形成されるシェルタ本体に、開閉蓋により密閉状に閉塞される出入り口を設けるとともに、前記避難空間の床部を形成する床構成部材を円周内面に沿わせて円周方向に移動可能に内設してなることを特徴とする防災シェルタ。
【請求項７】
前記床構成部材は、前記避難空間の床部となる表面側の平坦面部に対しその裏面側を前記シェルタ本体の円周内面に沿う円弧面部と成し、当該円弧面部に複数の転動部材を備えて前記シェルタ本体の円周内面に沿って移動可能に内設され、
かつ、前記平坦面部から前記シェルタ本体の真円中心を通る対角線上において該シェルタ本体の円周内面に至る長さで円周内面に沿って転動する転動部材を端部に備えた突っ張り部材を備えていることを特徴とする請求項６に記載の防災シェルタ。
【請求項８】
前記シェルタ本体は、底部に相当する円周部分に重心を設定して適正状態を保つバランス部材を備えるとともに地上設置用の台座を備えてなり、
前記床構成部材は、前記シェルタ本体の円周内面に沿わせて平坦面部から立ち上げ延設させた座部を備えるとともに、円弧面部の円弧中心部分に重心を設定して適正状態に保つバランス部材を備えていることを特徴とする請求項６または請求項７に記載の防災シェルタ。
【請求項９】
前記シェルタ本体は、球形状に形成されて底部に相当する円周部分に重心を設定して適正状態を保つバランス部材を備えるとともに地上設置用の台座を備え、さらに、適正状態に保たれている状態において避難空間の床部が位置する円周部分に出入り口を開口配置してなり、
前記床構成部材は、円弧面部の円弧中心部分に重心を設定して適正状態に保つバランス部材を備えるとともに、突っ張り部材の軸芯線上に位置する平坦面部の円形中心部から円弧面部側に挿通されてシェルタ本体の円周内面に対し下端側を接離自在に圧接させる移動防止兼旋回軸部材を備えていることを特徴とする請求項６または請求項７に記載の防災シェルタ。
【発明の詳細な説明】
【技術分野】
【０００１】
本発明は、地震や台風、その他の災害発生時に、人命を安全に確保する防災シェルタに係り、特に、地震による大津波や河川の氾濫による大洪水などの災害に襲われた際の避難に好適で、危難が去って安全が確保されるまでの間、避難するために使用される防災シェルタに関する。
【背景技術】
【０００２】
阪神・淡路大震災、新潟中越地震、そして東日本大震災などの大規模の地震では、倒壊した家屋などの下敷き、大津波にのみこまれるなどによって多くの人命が一瞬にして失われている。
【０００３】
ところで、大規模の地震による津波の発生などが確認されたときに重要なことは、津波が到来（到達）するまでの短い時間内でいち早く高台などの避難場所まで移動することである。しかし、高台などの避難場所が近くになく、離れているなどの沿岸地域においては移動が困難、特に、幼稚園児や保育園児などの小さな子供、そして老人などの弱者にとっては避難場所までの移動は困難なものである。また、倒壊した家屋などによって避難路が塞がれるなどによって避難場所までの移動が非常に困難で、危険な状況となる。
【０００４】
そこで、津波や洪水などによる災害発生時に避難空間に逃げ込むことにより避難者の安全を確保し、危難が去って安全が確保されるまでの間、また、救助が来るまでの間、身体の安全を確保する簡易型の防災シェルタなどが知られている（例えば、特許文献１および特許文献２）。
例えば、特許文献１に記載されている防災シェルタは、内部スペース（避難空間）を有する略球殻形状で、壁部を多層構造材で形成してなる中空構造体に、開閉扉によって水密に閉塞可能とする出入り口を設けるとともに、底部に水タンクからなるバランス用マスを設けた構成としている。これにより、避難者が逃げ込む内部スペースへの浸水を防ぎ、付近が水没したときにはバランス用マスにより横転することなく水上を浮遊するなどによって、避難者の安全を確保することができるようになっている。
【先行技術文献】
【特許文献】
【０００５】
【特許文献１】特開２００４−３２２９３９号
【特許文献２】実用新案登録第３１４４７４６号
【発明の概要】
【発明が解決しようとする課題】
【０００６】
ところで、津波や洪水などに襲われた場合、激流にのみこまれるなどによってシェルタが転がりながら押し流される。また、周辺が完全に水没して特許文献１の図５に示されているように、シェルタが水上に完全に浮遊した状態などでは激しい波に打たれることや、崩壊した家屋などの大きな障害物（浮遊物）に衝突するなどの状況によってはシェルタが転がり押し流されることが予測される。
【０００７】
しかしながら、特許文献１に記載の従来技術では、シェルタの壁部を多層構造材で一体に形成してなる構造を採用しているため、激流にのみこまれるなどによってシェルタが転がり押し流された場合、その転がりに伴って内部スペースの避難者も転がる（回る、転倒する）こととなり、災害発生に対する恐怖心などに加えて、狭いスペース（避難空間）への避難などによってすでに閉塞感などの心理状態にある避難者に対してさらに追い打ちをかける大きな不安感を与えるなどの問題がある。
【０００８】
そこで、本発明は、このような問題を解消することを課題に創案されたものである。すなわち、地震などの災害発生時に、逃げ込むことで身体の安全が確保されることは勿論、激流にのみこまれるなどによって転がり押し流されたとしても、避難者の心理的な不安感を抑止することができること、また、危難が去って安全が確保されたときなどには安全に脱出することができること、などが本発明の目的である。
【課題を解決するための手段】
【０００９】
前記課題を解決するために、本発明に係る防災シェルタでは少なくとも以下の構成を具備している。
すなわち、本発明では、避難空間を内部に有する防災シェルタであって、
全体が球形状または円筒形状に構成されるシェルタ本体に、密閉状に閉塞される出入り部を設けてなり、前記シェルタ本体は、外側シェル部と、該外側シェル部との間に介在部材を介して円周方向に回転可能に内設される内側シェル部とから構成され、前記外側シェル部と内側シェル部とのそれぞれの底部に相当する円周部分に重心を設定して適正状態に保つバランス部材を備えていることを特徴とする。
【００１０】
ここで、前記介在部材は、前記外側シェル部と前記内側シェル部との間に確保される断熱隙間に転動可能に介在されて、前記内側シェル部をその円周外面側から円周方向に回転可能に支持する多数の球状体からなること、また、前記球状体が、前記外側シェル部の円周内面から囲繞状に立ち上げ形成されて前記断熱隙間に独立した凹み形態にて所要数配置される各球体保持部内に転動可能に内在保持されて、前記内側シェル部をその円周外面側から円周方向に回転可能に支持するように構成したこと、などの構成を採用することが好適なものとなる。
【００１１】
また、前記出入り部は、前記外側シェル部側と前記内側シェル部側にそれぞれ開口されて開閉扉により密閉状に閉塞される外側出入り口と内側出入り口であり、前記外側出入り口と前記内側出入り口は、前記外側シェル部と前記内側シェル部とが適正状態に保たれているときに開口連通するように、前記外側シェル部側と前記内側シェル部側に開口配置されていること、などの構成を採用することが好適なものとなる。
【００１２】
さらに、前記外側シェル部側のバランス部材は、前記シェルタ本体を地上に据え置き設置するための地上設置用の台座に配置され、前記台座は、前記外側シェル部の底部に相当する円周外面部分に取り付けられる内部中空の略箱型状に形成されるとともに水が出入りするための通水孔を備え、前記内側シェル部側のバランス部材は、避難空間の床部を形成するように内側シェル部の円周内面部分に配置されていることが好適なものとなる。
【００１３】
また、本発明では、避難空間を内部に有する防災シェルタであって、
全体が球形状または円筒形状に形成されるシェルタ本体に、密閉状に閉塞される開閉可能な出入り口を設けるとともに、前記避難空間の床部を形成する床構成部材を円周内面に沿わせて円周方向に移動可能に内設してなることを特徴とする。
【００１４】
ここで、前記床構成部材は、前記避難空間の床部となる表面側の平坦面部に対しその裏面側を前記シェルタ本体の円周内面に沿う円弧面部と成し、当該円弧面部に所要数の転動部材を備えて前記シェルタ本体の円周内面に沿って移動可能に内設され、かつ、前記平坦面部から前記シェルタ本体の真円中心を通る対角線上において該シェルタ本体の円周内面に至る長さで円周内面に沿って転動する転動部材を端部に備えた突っ張り部材を備えていること、また、前記シェルタ本体は、底部に相当する円周部分に重心を設定して適正状態を保つバランス部材を備えるとともに地上設置用の台座を備えてなり、前記床構成部材は、前記シェルタ本体の円周内面に沿わせて平坦面部から立ち上げ延設させた座部を備えるとともに、円弧面部の円弧中心部分に重心を設定して適正状態に保つバランス部材を備えていること、などの構成を採用することが好適なものとなる。
【００１５】
また、本発明では、前記シェルタ本体は、全体が球形状に形成されて底部に相当する円周部分に重心を設定して適正状態を保つバランス部材を備えるとともに地上設置用の台座を備え、さらに、適正状態に保たれた避難空間の床部が位置する円周部分に出入り口を開口配置してなり、前記床構成部材は、シェルタ本体の円周内面に沿う円弧面部の円弧中心部分に重心を設定して適正状態に保つバランス部材を備えるとともに、突っ張り部材の軸芯線上に位置する平坦面部の円形中心部から円弧面部側に挿通させてシェルタ本体の円周内面に対し下端側を接離自在に圧接される移動防止兼旋回軸部材を備えていること、などの構成をさらに採用することが好適なものとなる。
前記移動防止兼旋回軸部材は、シェルタ本体の内周面に対する下端側の圧接状態にて突っ張り部材との協同で床構成部材を、シェルタ本体の底部側に円周方向に移動不能に保持し、かつ、水平旋回可能に支持するものである。
【発明の効果】
【００１６】
本発明の防災シェルタによれば、例えば、津波や洪水などの災害発生時に避難者が逃げ込む避難空間を内部に有する内側シェル部は、外側シェル部に対し円周方向に回転可能に内設されていることで、仮に、激流にのまれることや激しい波に打たれるなどによってシェルタ本体が転がりながら押し流された場合、外側シェル部は回転するものの、内側シェル部は、その回転の影響を直接受けることなく、外側シェル部の内側においてわずかに揺れる程度の動きに抑えられ、しかも、底部のバランス部材によって避難空間の床部を水平とする適正状態に保たれる。つまり、避難空間の水平状態を保つ重心が内側シェル部の底部側に設定されていることで、避難空間に避難した床部上の避難者を通常の姿勢に保つことができる。
これにより、危難が去って安全が確保されるまでの間、また、救助が来るまでの間、避難空間に避難した避難者に対して心理的な安心感のもとで身体の安全を確保することができる。
また、外側シェル部と内側シェル部との間に密閉された断熱隙間が確保され、なおかつ、断熱隙間には内側シェル部を回転可能に支持する介在部材が介在されていることで、冬場や夏場の災害時において外側シェル部（外部）からの伝熱による避難空間の温度の急激な変化を抑える断熱効果（保温効果）が得られる。
【００１７】
また、外側シェル部の内側に内側シェル部を回転可能に支持する介在部材として多数の球状体を用い、該球状体を、外側シェル部の円周内面（全周）に独立させて要所に配置した各球体保持部に内在保持させてなる構成を採用したことで、外側シェル部と内側シェル部との間の断熱隙間を完全に埋め尽くすように球状体を介在させる場合に比べて、球状体の数を大幅に減らして製作コストを抑えることができる。
【００１８】
また、シェルタ本体は、外側シェル部と、避難者が逃げ込む避難空間を有する内側シェル部とからなる二重シェル構造とし、なおかつ、それら両シェル部間の断熱隙間には内側シェル部を回転可能に支持するための介在部材が介在されていることで、仮に、崩壊した家屋などの大きな障害物などに対する衝突によって外側シェル部の一部に破損個所などが生じた場合でも介在部材と内側シェル部によって避難者の安全を確保することができる。
【００１９】
また、外側シェル部および内側シェル部にはそれぞれを適正状態に保つバランス部材が底部部分に備えられ、当該バランス部材によって外側シェル部と内側シェル部とが適正状態に保たれているときに開口連通するように、外側シェル部側と内側シェル部側に両開閉蓋によって密閉状に閉塞される両出入り口をそれぞれ設けてなることで、水上に浮遊しているときなどにおいて、危難が去って安全が確保されて外部に自力で脱出するとき、そして、救助隊員が到達して救助されるときに、両開閉扉を開けて開口連通する両出入り口から脱出することができる。
【００２０】
また、本発明の防災シェルタによれば、例えば、津波や洪水などの災害発生時に逃げ込んだ避難者が突っ張り部材（ポール部材）に掴まった状態で避難する避難空間の床部を形成する床構成部材は、シェルタ本体の円周内面に沿って円周方向に移動可能に内設されていることで、仮に、激流にのまれたときや激しい波に打たれるなどによってシェルタ本体が転がりながら押し流された場合、避難空間の床部はその回転影響を直接受けない。
つまり、シェルタ本体が回転しても床構成部材は、シェルタ本体の円周内面に沿ってわずかに揺れる程度の動きに抑えられ、しかも、バランス部材によって避難空間の床部となる平坦面部を水平とする適正状態に保たれる重心がシェル部本体の円周内面に沿う円弧面部の円弧中心部分に設定されていることで、避難空間に避難した床部上の避難者は通常の姿勢を保つことができる。
これにより、危難が去って安全が確保されるまでの間、また、救助が来るまでの間、避難空間に避難した避難者に対して心理的な安心感のもとで身体の安全を確保することができる。
【００２１】
また、避難空間の床部を形成する床構成部材は座部を備えていることで、危難が去って安全が確保されたときなどに、避難者は座部に座って救助を待つことができる。しかも、床構成部材をシェルタ本体の円周内面に沿わせて円周方向に移動可能に内設させたというシンプルな構造であるが故に、安価で製造提供することができる。
【００２２】
また、本発明の防災シェルタによれば、激流によってシェルタ本体が回転しても避難空間に避難した床部（床構成部材）上の避難者は通常の姿勢を保つことができる前記の効果に加えて、床構成部材は、避難空間の床部となる平坦面部（避難空間の床部）を水平とする適正状態で移動防止兼旋回軸部材と突っ張り部材との協同でシェルタ本体の底部側に円周方向に移動不能に保持され、かつ、水平旋回可能に支持されるように構成されていることで、例えば、避難空間の床部に位置して開口されている出入り口から車椅子使用者を車椅子に乗せた状態で避難空間の床部上に搬入させて速やかに避難させることができる。
つまり、車椅子使用者を出入り口から避難空間の床部上に搬入させたとき、床構成部材が車椅子および使用者の重さなどによってシェルタ本体の円周方向にシーソの如く揺れることがない。また、床構成部材を水平旋回させることで、数人の車椅子使用者を避難空間に順次に搬入避難させることができる。
【図面の簡単な説明】
【００２３】
【図１】本発明の第１の実施形態に係る防災シェルタを示し、（ａ）は、外側シェル部と内側シェル部とが適正状態に保たれている状態の縦断説明図であり、（ｂ）は、球体保持部の一部を示す説明図である。
【図２】図１のＩＩ−ＩＩ線拡大横断面図であり、（ａ）は、両出入り口の開閉扉が閉じられている状態を示し、（ｂ）は、開閉扉がともに内側（避難空間側）に開いて両出入り口が開口している状態を示す。
【図３】同両出入り口に対して開閉扉を密閉状に閉塞する締付け密閉機構の一例を示し、（ａ）は、ロック状態を示し、（ｂ）は、ロックが解除された状態を示す。
【図４】シェルタ本体（外側シェル部）が激流によって転がりながら押し流されている状態を示す縦断説明図である。
【図５】本発明の第２の実施形態に係る防災シェルタを示し、シェルタ本体と床構成部材とが適正状態に保たれている状態の縦断説明図である。
【図６】図５のＶＩ−ＶＩ線拡大横断面図で、出入り口の開閉扉が閉じられている状態を示す。
【図７】シェルタ本体が激流によって転がりながら押し流されている状態を示す縦断説明図である。
【図８】本発明の第２の実施形態に係る防災シェルタの他の実施形態を示す縦断説明図である。
【図９】同防災シェルタの横断説明図である。
【図１０】床構成部材をシェルタ本体の底部側に円周方向に移動不能に、かつ、水平旋回可能に保持させた状態を示す同防災シェルタの縦断説明図である
【発明を実施するための形態】
【００２４】
以下、本発明の実施形態に係る防災シェルタについて、適宜図面を参照しながら詳細に説明する。
本発明の実施形態に係る防災シェルタＡ，Ａ１，Ａ２は、屋内、ベランダ、バルコニー、庭先など、その他の設置が可能な陸地に設置されて、例えば、地震が発生した場合には家屋の崩壊に備えて、また、津波の到来（到達）に備えてシェルタ内部の避難空間Ｍに直ちに逃げ込み避難することで、避難者の安全を確保する。そして、津波や洪水に襲われて周辺が完全に水没したり、海上や河川へと押し流されたときには中空構造であるが故に、十分な浮力を備えていることで水没することなく、水上を浮遊し、避難者の安全を確保する。
【００２５】
≪第１の実施形態に係る防災シェルタの説明≫
図１は、本発明の第１の実施形態に係る防災シェルタが適正状態に保たれている状態を示す縦断説明図であり、図２は、図１のＩＩ−ＩＩ線拡大横断面図である。
防災シェルタＡは、図１に示すように、全体を真円とする球形状に形成されて、内部に避難空間Ｍを有するシェルタ本体１に、密閉状（水密状）に閉塞される出入り部２を設けた形態を成している。
【００２６】
≪シェルタ本体の説明≫
シェルタ本体１は、図１に示すように、球形状の外側シェル部１ａと内側シェル部１ｂとからなる二重シェル構造に構成されている。そして、シェルタ本体１は、外側シェル部１ａの円周内面と内側シェル部１ｂの円周外面との間に介在される介在部材３を介して内側シェル部１ｂを外側シェル部１ａ内に円周方向に回転可能に内設させてなる。換言すれば、内側シェル部１ｂに対し外側シェル部１ａが円周の全ての方向に回転するように、内側シェル部１ｂを外側シェル部１ａ内に内設させてなる。
これにより、津波や洪水などの災害発生時に激流などによってシェルタ本体１が転がりながら押し流されたとき、後記する図４に示すように、外側シェル部１ａは内側シェル部１ｂに対し円周の全ての方向に回転するものの、内側シェル部１ｂは外側シェル部１ａの回転影響を直接受けることなく、揺れる程度の動きに抑えられて回転しない。つまり、外側シェル部１ａに対して内側シェル部１ｂの適正状態（水平状態）が保たれ、避難空間Ｍに避難した避難者は通常の姿勢を保つことができる。
【００２７】
≪外側シェル部および内側シェル部の説明≫
外側シェル部１ａおよび内側シェル部１ｂは、災害時の衝撃などによって安易に破損するおそれのない剛性を有する例えば、ガラス繊維またはナイロンやビニロン繊維などを補強材として加えてなる繊維強化プラスチック（ＦＲＰ：Fiber Reinforced Plastic）などの強化プラスチックによって所定の球径を有する中空球形状に形成されている。
そして、内側シェル部１ｂの球径（外径）は、外側シェル部１ａの球径（内径）よりも小さく形成することで、外側シェル部１ａの円周内面と内側シェル部１ｂの円周外面との間に密閉された断熱隙間Ｎが確保され、当該断熱隙間Ｎに介在部材３を介在させて内側シェル部１ｂを外側シェル部１ａの内側に球形円周の全ての方向に回転可能に支持内設し得るようにしている。
【００２８】
また、外側シェル部１ａおよび内側シェル部１ｂは、球形円周の所定位置に後記する外側出入り口２ａと内側出入り口２ｂをそれぞれ設けて、避難者が内側シェル部１ｂの避難空間Ｍに逃げ込み避難、危難が去って安全が確保されたときには避難空間Ｍから脱出し得るようにしている。
【００２９】
なお、図示を省略しているが、内側出入り口２ｂの開口位置に対応させた内側シェル部１ｂの円周高さ位置（避難空間Ｍの床部ｍから高さ位置）に強化プラスチックや強化ガラスなどからなる円形などの覗き窓を１乃至等間隔をおいた数カ所に備えて、外側シェル部１ａが後記するバランス部材１１ａによって適正状態に戻されたときなどにおいて外側出入り口２ａの位置存在を避難空間Ｍ内から覗き窓を通して確認できるようにするとよい。つまり、内側出入り口２ｂと外側出入り口２ａとの位置合わせ確認用の覗き窓を内側シェル部１ｂに備えるとよい。
【００３０】
≪出入り部の説明≫
避難空間Ｍへの出入り部２は、図１および図２に示すように、外側シェル部１ａ側に開口されて開閉扉４ａによって密閉状に閉塞される外側出入り口２ａと、内側シェル部１ｂ側に開口されて開閉扉４ｂによって密閉状に閉塞される内側出入り口２ｂとから形成されている。
【００３１】
外側出入り口２ａと内側出入り口２ｂは、後記するバランス部材１１ａ，１１ｂによって適正状態（水平状態）に保たれた状態（図１の状態）にある外側シェル部１ａと内側シェル部１ｂの球形円周の同一位置で、シェルタ本体１が水上に浮遊したときに水が浸水するおそれがない球形円周の高さ位置において円形状に開口されている。
そして、外側出入り口１ａの開口大きさは、内側出入り口１ｂの開口大きさよりも小さめに形成されて、図２の（ｂ）に示すように、外側出入り口１ａを密閉状に閉塞する開閉扉４ａが内側シェル部１ｂの内側出入り口２ｂに開口縁などと干渉することなく、開閉扉４ｂとともに内側（避難空間Ｍ側）に開くようにしている。
【００３２】
なお、図示を省略しているが、両開閉扉４ａ，４ｂをともに外側に、または、開閉扉４ａのみを外側に開く形態とすることができる。また、両出入り口１ａ，１ｂを角形や多角形などの適宜の開口形状にて開口することできる。
【００３３】
そして、外側出入り口２ａと内側出入り口２ｂのそれぞれの内向き開口段部面には、図２に示すように、Ｏリング５がそれぞれ取り付けられており、後記する締付け密閉機構７による両開閉扉４ａ，４ｂの円周縁の圧接によって外側出入り口２ａと内側出入り口２ｂが密閉状（水密）に閉塞されるようにしている。Ｏリング５は、水密性と耐久性などに優れた素材からなるシール部材である。
【００３４】
両出入り口２ａ，２ｂを密閉状に閉塞する両開閉扉４ａ，４ｂは、強化プラスチックなどによって両出入り口２ａ，２ｂの開口円周縁に沿う大きさを有する円形状に形成されている。この両開閉扉４ａ，４ｂは、図２に示すように、ヒンジ部材６を軸として横開き開閉自在と成して、締付け密閉機構７の閉じ回転操作（締付け操作）によるＯリング５への圧接（図２（ａ）および図３（ａ）の状態）によって両出入り口２ａ，２ｂを密閉状に閉塞するようになっている。
そして、両開閉扉４ａ，４ｂは、図１および図２に示すように、透明または半透明の強化プラスチックや強化ガラスなどからなる耐圧性および耐水性を有する窓８ａ，８ｂをそれぞれ備えている。
【００３５】
≪締付け密閉機構の説明≫
図３は、締付け密閉機構の一例を示す。ここでは、図２を適宜参照しながら説明する。
締付け密閉機構７は、図２および図３に示すように、両開閉扉４ａ，４ｂ側に取り付けられる回転ハンドル７ａと、両出入り口２ａ，２ｂ側に取り付けられる締付け留め具７ｂとからなる。そして、回転ハンドル７ａ側の爪先から根元に向けて徐々に上るスロープ状に形成されている掛止片部９が、回転ハンドル７ａの閉じ回転操作により締付け留め具７ｂの掛止部に対して漸次掛止されるように摺接挿入されることで（図２（ｂ）の状態から（ａ）の状態）、両開閉扉４ａ，４ｂをそれぞれのヒンジ部材６を軸としてＯリング５側へと締め付け圧接させた状態で両出入り口２ａ，２ｂを密閉状に閉塞し得るようにしている。
なお、回転ハンドル７ａの閉じ回転操作により両開閉扉４ａ，４ｂを閉じると、回転ハンドル７ａが開き方向に不用意に回転しないように自動的にロックがかかるようになっている。
【００３６】
≪介在部材の説明≫
外側シェル部１ａの内側に内側シェル部１ｂを球形円周の全ての方向に回転可能に支持する介在部材３は、断熱隙間Ｎに転動可能に介在させる多数の球状体３ａから形成されている。
この球状体３ａは、その素材として金属材や合成樹脂材などを挙げることができるが、本実施形態では、シェルタ本体１の重さをより軽くするなどによって設置場所などへ搬入するなどの持ち運び取扱い性や浮力を最大限に引き上げるなどを考慮し、金属材よりも軽く所定の硬度を有する合成樹脂材を用いて、断熱隙間Ｎが確保される外側シェル部１ａと内側シェル部１ｂとの間（間隔）に相当する球径に形成してなる。
【００３７】
そして、本実施形態では、図１に示すように、外側シェル部１ａの円周内面から囲繞状に立ち上げ形成されて断熱隙間Ｎに独立した凹み形態にて所要数配置した各球体保持部１０内に複数（例えば、図１の（ｂ）に示すように、２１個）の球状体３ａを転動可能に内在保持されて、内側シェル部１ｂをその円周外面側から球形円周の全ての方向に回転可能に支持するように形成してなる。換言すれば、内側シェル部１ｂに対し外側シェル部１ａが球形円周の全ての方向に回転し得るようにしている。
【００３８】
球体保持部１０は、内側シェル部１ｂの円周外面に面する側を解放させた形態にて断熱隙間Ｎに円周方向等間隔をおいた例えば、千鳥状や碁盤目状の配置にて独立状に形成されて、図１に示すように、複数の球状体３ａを転動可能に収容保持し得るようになっている。
これにより、内側シェル部１ｂは、各球体保持部１０に収容保持されている複数の球状体３ａによって外側シェル部１ａに対しその内側に球形円周の全ての方向に回転可能に支持されて、避難空間Ｍに避難した避難者の安全を確保する。
つまり、激流などによってシェルタ本体１が激しく転がり押し流された場合、外側シェル部１ａは内側シェル部１ｂに対し球形円周の全ての方向に回転するものの、内側シェル部１ｂはその影響を直接受けることなく、わずかに揺れる程度に抑えられた適正状態（避難空間Ｍの床部ｍが水平状態）に保たれることで、避難者に対して心理的な安心感を与えることができる。
【００３９】
なお、図示を省略しているが、球体保持部１０内に収容保持されている球状体３ａが飛び出さないように、４個の球状体３ａを転動可能に一緒に押えることができる例えば、ラッパ状の押え部を必要に応じて備えることができる。この押え部は、球体保持部１０と同様に、外側シェル部１ａの円周内面から４個の球状体３ａの間を通って内側シェル部１ｂの円周外面側に突出するように突設されて、突端ラッパ部にて４個の球状体３ａを転動可能に押える形態を成している。
【００４０】
また、シェルタ本体１は、図１に示すように、外側シェル部１ａと内側シェル部１ｂとのそれぞれの底部に相当する円周部分に重心を設定するためのバランス部材１１ａ，１１ｂを備えている。これにより、外側シェル部１ａ側と内側シェル部１ｂ側とは適正状態（水平状態）にそれぞれ保たれるようになっている。
【００４１】
≪バランス部材の説明≫
バランス部材１１ａ，１１ｂは、外側シェル部１ａと内側シェル部１ｂとの底部に相当する円周部分に重心を設定して適正状態に保つ。つまり、底部に相当する円周部分に重力を作用させて、外側シェル部１ａと内側シェル部１ｂをそれぞれ適正状態に保つ役目を果たす錘である。
詳しく述べると、シェルタ本体１が災害時に激流によって押し流されて外側シェル部１ａが転がりながら海上や河川などの水上に浮遊したとき、外側シェル部１ａはバランス部材１１ａが配置されている底部側を下にした適正状態（水平状態）に戻されるとともに、その適正状態が安定よく保たれる。そして、避難者が逃げ込み避難する避難空間Ｍを有する内側シェル部１ｂは、外側シェル部１ａが転がりながら押し流されているとき、そして水上に押し流されて浮遊したとき、いずれの状況においても常にバランス部材１１ｂが配置されている底部側（避難空間Ｍの床部ｍ側）を下にした適正状態（水平状態）に保たれる。つまりは、避難空間Ｍの床部ｍを水平とする適正状態がバランス部材１１ｂによって保たれるようになっている。
このバランス部材１１ａ，１１ｂは、外側シェル部１ａの底部用、内側シェル部１ｂの底部用としてそれぞれに対応させた形態に形成されて、ボルト止めやその他の固着手法によって取り付け配置される。
すなわち、外側シェル部１ａ側に取り付けられるバランス部材１１ａは、シェルタ本体１を地上に据え置き状態で設置するために、図１に示すように、外側シェル部１ａの底部側裏面に取り付けられる地上設置用の台座１２内に取り付け配置される平板形状に形成されている。
一方、内側シェル部１ｂ側に取り付けられるバランス部材１１ｂは、避難空間Ｍの平坦な床部ｍを形成する表面平坦側に対して裏面側を内側シェル部１ｂの円周内面に沿わせた円弧面として避難空間Ｍの床部ｍ側となる円周内面に取り付け配置される断面視で略三日月形状に形成されている。
【００４２】
また、図１に二点鎖線で示すように、避難空間Ｍの床部ｍから所定高さにて後記するポール部材１３を取り囲むように座部１４を備えることができる。これにより、例えば、激流に押し流れるなどの危難から解放されて、外側シェル部１ａが適正状態に戻り安全が確保された場合、避難者が座って救助を待つことができるなど、避難者に安心感を与えるなどの効果を期待することができる。
【００４３】
≪台座の説明≫
台座１２は、シェル本体１が地上に据え置き状態で設置されるとき、シェルタ本体１（外側シェル部１ａ）を適正状態（水平状態）に支持する台であり、強化プラスチックなどによって、図１に示すように、外側シェル部１ａの底部側裏面を所望の面積にて支える内部中空の略箱型状に形成されるとともに、水上に浮遊したときに水が流入するための通水孔１５を備えている。この通水孔１５は、台座１２の底部からバランス部材１１ａを貫通して台座１２の内部に連通するように開口される大径孔部１５ａと、台座１２の周面壁部において数カ所に開口される小径孔部１５ｂであり、シェルタ本体１が水上に浮遊したときに水が台座１２内に流入するようにしている。
これにより、台座１２は、シェルタ本体１が水上に浮遊したときなどにおいて、内部のバランス部材１１ａとともにバランス水の内部流入によって外側シェル部１ａを本質的に適正状態（水平状態）に保つ役目を果たす。つまり、津波や洪水などによってシェルタ本体１が押し流されて外側シェル部１ａが回転しながら海上などに浮遊したとき、通水孔１５から台座１２内に流入した海水などはバランス水としての役目を果たしてバランス部材１１ａとともに外側シェル部１ａの底部側を下に向けた適正状態（水平状態）に外側シェル部１ａを戻し、その適正状態を安定よく保つ重力を外側シェル部１ａの底部側に効果的に作用させることができる。
このように構成することで、台座１２内に配置されるバランス部材１１ａとしては、外側シェル部１ａが回転しながら海上などに浮遊したときに、外側シェル部１ａを適正状態に速やかに戻し、その適正状態を海上などにおいて安定よく保つために必要とする本来の重さよりも軽めの錘を用いることができる。換言すれば、外側シェル部１ａ（シェルタ本体１）を本来の重さよりも軽く製作して運搬などにおける取扱い性を図ることができる。
【００４４】
また、シェルタ本体１は、図１に示すように、避難空間Ｍの床部ｍから当該避難空間Ｍの真円軸芯（円形軸芯）を通る対角線上に位置する天井側（内側シェル部１ｂの円周内面部分）に至るようにポール部材１３を備えている。
【００４５】
ポール部材１３は、津波や洪水などの激流などによってシェルタ本体１が転がりながら押し流されているときなどにおいて、避難者が掴まることで、避難者に安心感を与えるためのものである。
このポール部材１３は、合成樹脂材や金属材などの強靭な素材によって形成されて、その下端側が避難空間Ｍの床部ｍを形成するバランス部材１１ａに直接取り付けられ、上端側が、図１に示すように、取付け部材１６を介して避難空間Ｍの天井側に取り付けられる。
取付け部材１６は、適宜大きさを有する平板状に形成されてポール部材１３の上端に溶着や融着、その他の固着手段によって取り付けられるポール取付け部１６ａと、このポール取付け部１６ａの３乃至４カ所を避難空間Ｍの天井に連結する柱状の連結部１６ｂとからなり、ポール部材１３の上端側を３点または４点支持にて避難空間Ｍの天井に取り付け連結する形態を成している。
【００４６】
また、このようにしてポール部材１３の上端側が取り付けられる避難空間Ｍの天井部分には、空気の取り入れが行われる換気口１７が備えられている。
【００４７】
≪換気口の説明≫
換気口１７は、外側シェル部１ａと内側シェル部１ｂとを貫通させて外部から避難空間Ｍに空気を取り入れるためのものであるが、図１に示すように、外側シェル部１ａ側から内側シェル部１ｂの円周外面に向けて当接するように突設させた筒部１７ａを備えて、内側シェル部１ｂ側に開口されている連通孔１８と連通することで、避難空間Ｍに空気が取り入れられるようになっている。
換気口１７を形成する筒部１７ａの連通孔１８に連通する端部は、図１に示すように、内側シェル部１ｂの円周外面に沿って密接状態にて摺動するように円周突状に形成されていて、断熱隙間Ｎの密閉性を図りながら、連通孔１８との連通によって空気の取り入れが行われるようになっている。
また、図１に示すように、筒部１７ａ内には弁部材１９が内設されていて、激流などによってシェルタ本体１が転がりながら押し流されているとき、また、一時的に水中に没入状態にあるときなどにおいて、水などの侵入を防ぐように弁部材１９が自動的に閉弁し、換気口１７が密閉状に封止されるようになっている。
【００４８】
なお、図示を省略しているが、筒部１７ａを内側シェル部１ｂの円周外面から外側シェル部１ａの円周内面に向けて突設させて、外側シェル部１ａ側に開口されている連通孔に連通する形態とすることができる。
【００４９】
［作用説明］
つぎに、以上のように構成されている第１の実施形態に係る防災シェルタＡについて簡単に説明する。
図４は、激流によってシェルタ本体が転がりながら押し流されている状態を示す縦断説明図である。ここでは、図１および図２を適宜参照しながら説明する。
防災シェルタＡは、地震、津波、洪水などの災害発生に備えて、屋内、ベランダ、バルコニー、庭先などの設置が可能な陸地に設置しておく。この設置状態で、災害発生時に直ぐに避難空間Ｍへと逃げ込むことができるように、両開閉扉４ａ，４ｂを図２の（ｂ）に示すように、開けた状態にしておくことが好ましい。
【００５０】
そして、例えば、地震が発生した場合には、避難空間Ｍに直ちに逃げ込み避難し、両開閉扉４ａ，４ｂを閉じ、締付け密閉機構７によって両開閉扉４ａ，４ｂを両出入り口２ａ，２ｂに圧接させて両出入り口２ａ，２ｂを密閉状に閉塞し、家屋の崩壊や津波の到来などに備える。
【００５１】
万が一、家屋の崩壊や津波が到来した場合には、ポール部材１３に掴まって身体を安定させる。そして、図４に示すように、津波による激流によってシェルタ本体１が転がりながら押し流された場合には、内側シェル部１ｂは外側シェル部１ａの内側に球状体３ａ（介在部材３）によって回転可能に支持されていることで、外側シェル部１ａのみが激流の方向に応じて内側シェル部１ｂに対し球形円周の全ての方向に回転し、避難空間Ｍ（内側シェル部１ｂ）は回転することなく、バランス部材１１ｂと避難者総数の体重によって適正状態（水平状態）が保たれる。これにより、避難者は横転、回転することなく、通常の姿勢を保つことができるために、避難者に回転などによる心理的な不安感を与えることがない。
【００５２】
また、シェルタ本体１が海上などへ押し流された場合には、シェルタ本体１は水没することなく、浮遊することで、危難が去って安全が確保されるまでの間、また、救助が来るまでの間、避難者の安全が確保される。
このとき、外側シェル部１ａは、バランス部材１１ａとこのバランス部材１１ａが配置されている台座１２内への海水などの通水によって適正状態（水平状態）に戻され、内側シェル部１ｂとともに適正状態に保たれる。これにより、換気口１７の弁部材１９が開弁状態となり、内側シェル部１ｂ側の連通孔１８との連通によって避難空間Ｍに新鮮な空気が取り込まれる。
また、外側シェル部１ａと内側シェル部１ｂとの間には空気層などからなる密閉された断熱隙間Ｎが確保されているために、外側シェル部１ａ（外部）からの伝熱による避難空間Ｍの温度の急激な変化が抑えられる。
また、外側シェル部１ａと内側シェル部１ｂが適正状態（水平状態）に保たれることで、図１および図２の（ａ）に示すように、外側シェル部１ａと内側シェル部１ｂとの開閉扉４ａ，４ｂで密閉状に閉塞されている外側出入り口２ａと内側出入り口２ｂとの開口が位置する。これにより、危難が去って安全が確保されて自力で脱出するとき、そして、救助隊員が到達して救助されるときに、図２の（ｂ）に示すように、両開閉扉４ａ，４ｂを開けて開口連通する両出入り口２ａ，２ｂから脱出することができる。
【００５３】
［第２の実施形態に係る防災シェルタの説明］
つぎに、本発明の第２の実施形態に係る防災シェルタＡ１について説明する。
図５は、本発明の第２の実施形態に係る防災シェルタを示す縦断説明図であり、図６は、図５のＶＩ−ＶＩ線拡大横断面図である。
なお、この第２の実施形態では、前記した第１の実施形態で詳述の構成要素と同じ構成要素については同じ符号を付することで、重複説明は省略する。
【００５４】
この第２の実施形態に係る防災シェルタＡ１は、図５に示すように、全体を真円とする球形状に形成されて内部に避難空間Ｍを有するシェルタ本体２０に、密閉状（水密状）に閉塞される出入り口２１を設けた形態を成している。そして、防災シェルタＡ１は、避難空間Ｍの床部ｍを形成する床構成部材２２をシェルタ本体２０の円周内面に沿わせて球形円周の全ての方向に移動可能に内設してなる。
これにより、津波や洪水などの災害発生時に激流などによってシェルタ本体２０が回転しながら押し流されたとき、後記する図７に示すように、シェルタ本体２０は球形円周の全ての方向に回転するものの、その影響を直接受けることなく避難空間Ｍの床部ｍ（床構成部材２２）は揺れる程度の動きに抑えられて回転しない。つまり、激流などによって回転しながら押し流されるシェルタ本体２０に対し床部ｍの水平状態（適正状態）が保たれ、避難空間Ｍに避難した床部ｍ上の避難者は通常の姿勢を保つことができる。
【００５５】
≪シェルタ本体の説明≫
シェルタ本体２０は、前記の第１の実施形態と同様に、災害時の衝撃などによって安易に破損するおそれのない剛性を有する強化プラスチックによって所定大きさで全体を真円とする球形状に形成されている。
そして、シェルタ本体２０は、底部に相当する円周外面部分に、前記実施例詳述の台座１２を備えて、地上に適正状態で据え置き設置されるように成し、また、台座１２内にバランス部材１１ａを配置して、水上に浮遊したときに、バランス部材１１ａが配置されている底部側に作用する重力によって適正状態（水平状態）に戻され、かつ、その適正状態が安定よく保たれるようになっている。
【００５６】
≪出入り口の説明≫
避難空間Ｍへの出入り口２１は、シェルタ本体２０が水上に浮遊したときに水が浸水するおそれがない円周高さ位置において略円形状に開口されて、図５および図６に示すように、内外の両開閉扉２３ａ，２３ｂによる二重閉塞構造にて閉塞されるように形成されている。
そして、出入り口２１の外向き突出状の開口端面には、前記実施例詳述のＯリング５が取り付けられており、前記実施例詳述の締付け密閉機構７の回転ハンドル７ａの閉じ回転操作による開閉扉２３ａの圧接によって出入り口２１が密閉状（水密状）に閉塞されるようにしている。
【００５７】
外側開閉扉２３ａは、強化プラスチックなどによって出入り口２１の外向き突出状の開口円周縁を覆う大きさを有する断面形状に形成されている。そして、外側開閉扉２３ａは、前記実施例詳述の窓８ａを備えて、図６に示すように、ヒンジ部材６を軸とする横開き開閉自在にて外側に開くように出入り口の２１に取り付けられる。
【００５８】
内側開閉扉２３ｂは、避難空間Ｍの床部ｍを形成する床構成部材２２がシェルタ本体２０の円周内面に沿って円周自由方向に移動する。つまり、激流などによってシェルタ本体２０が転がりながら押し流されたとき、床構成部材２２がシェルタ本体２０とともに回転することなく、該シェルタ本体２０の円周内面に沿って球形円周の全ての方向に移動し得るように、当該円周内面と面一状態にて出入り口２１の開口内側を閉塞するための補助扉である。
この内側開閉扉２３ｂは、強化プラスチックなどによって出入り口２１の内側開口円周縁に沿う大きさを有する円形状に形成されている。そして、この内側開閉扉２３ｂは、前記実施例詳述の窓８ｂを備えて、図６に示すように、ヒンジ部材２４を軸とする横開き開閉にて内側（避難空間Ｍ側）に開くように出入り口２１に取り付けられる。
【００５９】
また、内側開閉扉２３ｂは、出入り口２１の内向き開口段部面に備えられているプッシュ開閉式の留め金具２５によって出入り口２１の閉塞状態が保持されるようになっている。つまり、留め金具２５は磁力を備え、内側開閉扉２３ｂをプッシュする毎に磁力によるロックとそのロック解除とが繰り返されるようになっている。
なお、図示を省略しているが、留め金具２５による内側開閉扉２３ｂの閉塞状態が、床構成部材２２の円周自由方向への移動（転動部材２６，２９）によって押されて開くおそれがあるなどの場合には、必要に応じて、面ファスナ（登録商標：マジックテープ）などを用いて内側から止めるようにすることもできる。
【００６０】
≪床構成部材の説明≫
避難空間Ｍの床部ｍを形成する床構成部材２２は、強化プラスチックやその他の強靭で軽量な材料を用いて形成されている。この床構成部材２２は、図５に示すように、避難空間Ｍの床部ｍとなる表面側を平坦でかつ平面視で真円形状に形成された平坦面部２２ａとし、その裏面側をシェルタ本体２０の円周内面に沿わせた円弧面部２２ｂとし、さらに、シェルタ本体２０の円周内面に沿わせて平坦面部２２ａから立ち上げ延設させた座部２２ｃを備えた形態を成している。
【００６１】
なお、図示を省略しているが、床構成部材２２は、中空状を成し、当該中空内部に必要に応じて空気を封人するなどによって浮力を備えている。つまり、シェルタ本体２０とともに防災シェルタＡ１の浮力を最大限に引き上げるための浮力を床構成部材２２に備えている。これにより、災害時に水上へと押し流されたときに確実に浮遊し、避難者の安全を確保する。
また、座部２２ｃの座面部分を開閉蓋構造と成して、非常食、飲料水、懐中電灯、簡易トイレ、その他の災害備品を内部空間に備蓄しておけるようにすることができる。
【００６２】
そして、床構成部材２２は、円弧面部２２ｂをシェルタ本体２０の球径（内径）よりも小さく形成することで、図５に示すように、シェルタ本体２０の円周内面を転動させる所要数の転動部材２６を円弧面部２２ｂに備えている。転動部材２６は、球状体であり、ホルダ（軸受部）２７によって回転可能に把持された形態を成している。
この転動部材２６は、座部２２ｃを一体に備える床構成部材２２の円弧面部２２ｂに等間隔をおいた千鳥状や碁盤目状などの形態によって配置されて、床構成部材２２がシェルタ本体２０の円周内面に沿って円周の全ての方向に滑らかに移動し得るようにしている。換言すれば、床構成部材２２に対しシェルタ本体２０が円周の全ての方向に回転し得るようにしている。
【００６３】
また、床構成部材２２には、図５に示すように、前記実施例詳述のバランス部材１１ｂが配置されている。これにより、避難空間Ｍの床部ｍとなる平坦面部２２ａを水平に保つための重心が円弧面部２２ｂの円弧中心部分に設定されて、床構成部材２２が適正状態（水平状態）に保たれるようにしている。
【００６４】
そして、本実施形態では、床構成部材２２がシェルタ本体２０の円周内面に沿って移動し得るように、図５に示すように、床部ｍとなる平坦面部２２ａの平坦中心部からシェルタ本体２０の円形軸芯を通る対角線上においてシェルタ本体２０の円周内面に至る長さで、当該円周内面に沿って転動する転動部材２９を端部に備えた突っ張り部材２８を備えている。
【００６５】
≪突っ張り部材の説明≫
突っ張り部材２８は、合成樹脂材や金属材などの強靭な材料によって形成されている。この突っ張り部材２８は、前記実施例詳述のポール部材１３を兼ねると同時に、床構成部材２２がシェルタ本体２０の円周内面から離れず、当該円周内面に沿って円滑に移動するように床構成部材２２を円周内面側に突っ張り状態で押し付け支持するものである。
この突っ張り部材２８の端部（上端）に取り付けられてシェルタ本体２０の円周内面に沿って転動する転動部材２９は、前記転動部材２６と同様に、球状体であり、ホルダ（軸受部）３０によって回転可能に把持収容された形態を成している。
【００６６】
なお、転動部材２９は、図５に示すように、突っ張り部材２８の太さに相当する球径を有して、シェルタ本体２０の円周内面に沿う床構成部材２２の移動に伴い当該円周内面を転動するものである。また、図示を省略しているが、転動部材２９を直接、または、ホルダ（軸受部）３０を介して転動部材２９を、シェルタ本体２０の円周内面方向に常時付勢するようにスプリングなどの弾発手段を備えることができる。
【００６７】
また、本実施形態では、シェルタ本体２０を屋内、ベランダ、バルコニー、庭先などの設置が可能な陸地に設置しておくときなどにおいて、床構成部材２の移動（動き）を止めておくためのストッパー部材３１を備えている。
【００６８】
ストッパー部材３１は、図５に示すように、床構成部材２２の平坦面部２２ａ（避難空間Ｍの床部ｍ）からシェルタ本体２０の円周内面へと貫通するように床構成部材２２に取り付け配置される。
そして、ストッパー部材３１は、上下動自在な操作杆部３１ａを下方へと押動させることで、操作杆部３１ａの下端に取り付けられているゴム製の止め部３１ｂをシェルタ本内２０の円周内面に圧接させることで床構成部材２２の動きを止めるように形成されている。
なお、具体的な機構については図示を省略しているが、ストッパー部材３１は、下方に押動された状態（図５の拡大図実線の状態）から操作杆部３１ａを右または左方向に回す操作が行われることで、下方位置におけるロック状態が解除されてリターンスプリングによって上方へと自動的に戻されて当該上方位置（図５の拡大図二点鎖線の状態）に保持されるようになっている。
【００６９】
［作用説明］
つぎに、以上のように構成されている第２の実施形態に係る防災シェルタＡ１について簡単に説明する。
図７は、シェルタ本体が激流によって転がりながら押し流されている状態を示す縦断説明図である。ここでは、図６を適宜参照しながら説明する。
前記の実施例詳述のように、災害発生に備えて、屋内、ベランダ、バルコニー、庭先などの設置が可能な場所への設置状態では、災害発生時に直ぐに避難空間Ｍへと逃げ込むことができるように、図６に二点鎖線で示すように、両開閉扉２３ａ，２３ｂを開けた状態にしておく。また、ストッパー部材３１によって床構成部材２２をシェルタ本体２０の円周内面に固定しておくとよい。
【００７０】
そして、地震が発生した場合には、避難空間Ｍに直ちに逃げ込み避難し、締付け密閉機構７によって開閉扉２３ａを出入り口２１に圧接させて、該出入り口２１の外側開口側を密閉状に閉塞するとともに、開閉扉２３ｂによって出入り口２１の内側開口側をシェルタ本体２０の円周内面と面一にて閉塞し、家屋の崩壊や津波の到来などに備える。
【００７１】
万が一、家屋の崩壊や津波が到来した場合には、床部ｍ（床構成部材２２）をシェルタ本体２０の内側に固定しているストッパー部材３１の固定を解除し、突っ張り部材２８に掴まって床部ｍに身体を安定させる。そして、図７に示すように、津波による激流によってシェルタ本体２０が転がりながら押し流された場合には、床部ｍ（床構成部材２２）はシェルタ本体２０の内側に沿って転動部材２６（球状体）と突っ張り部材２８および転動部材２９とによって移動可能に支持内設されていることで、シェルタ本体２０のみが回転し、避難空間Ｍの床部ｍは回転することなく、バランス部材１１ｂと避難者総数の体重によって適正状態（水平状態）が保たれる。これにより、避難者は横転、回転することなく、通常の姿勢を保つことができることで、避難者に対して心理的に安心感のもとで身体の安全を確保することができる。
【００７２】
［他の実施形態に係る防災シェルタの説明］
つぎに、他の実施形態に係る防災シェルタＡ２について説明する。
図８は、他の実施形態に係る防災シェルタを示す縦断説明図であり、図９は、同横断説明図である。
この実施形態に係る防災シェルタＡ２は、前記の第２の実施例詳述の防災シェルタＡ１に対し、座部２２ｃを取り除いた床構成部材２２を、後記の図１０に示すように、シェルタ本体２０の底部側に平坦面部２２ａ（避難空間Ｍの床部ｍ）を水平とする適正状態（水平状態）に保ち、円周方向に移動不能で、かつ、水平旋回可能な状態で保持し得るように構成してなるものである。その他の構成要素においては第２の実施例詳述と基本的にほぼ同じであり、同じ構成要素に同じ符号を付することで重複説明は省略する。
【００７３】
すなわち、シェルタ本体２０の円周内面に沿わせた平面視で真円形状に形成されている床構成部材２２は、図８に示すように、突っ張り部材２８の軸芯線上に位置する平坦面部２２ａの円形中心部からシェルタ本体２０の円周内面に面する円弧面部２２ｂ側に向けて挿通させて、下端側を円周内面に接離自在に圧接させる移動防止兼旋回軸部材４０を備えている。
これにより、シェルタ本体２０の底部側において適正状態に保たれている床構成部材２２を、移動防止兼旋回軸部材４０と突っ張り部材２８との協同でシェルタ本体２０の底部側に円周方向に移動不能で、かつ、水平旋回し得るように構成してなる。
【００７４】
≪移動防止兼旋回軸部材の説明≫
移動防止兼旋回軸部材４０は、合成樹脂材や金属材などの強靭な材料からなる棒材やパイプ材などによって形成されている。この移動防止兼旋回軸部材４０は、床構成部材２２の平坦面部２２ａの円形中心部から円弧面部２２ｂ側に向けて開口されている挿通孔４１に上下動自在に組み込まれてその上端側が上下ロック装置４２に連結支持されている。これにより、シェルタ本体２０の円周内面に押し付け圧接される下降限、円周内面から離脱される上昇限にロック状態で保持されるようになっている。
【００７５】
上下ロック装置４２は、挿通孔４１の軸芯上に位置する床構成部材２２の平坦面部２２２ａに装置ボックス４３を介して収納状に取り付け設置されて、昇降杆部４２ａの下端側に移動防止兼旋回軸部材４０の上端側をボルト止めやその他の連結手段によって連結支持するようになっている。
この上下ロック装置４２は、昇降杆部４２ａを下降限まで下げてその下降限にロック保持する役目を成すロックペダル４２ｂと、ロックペダル４２ｂによるロック状態を解除して昇降杆部４２ａを上昇限まで上げてその上昇限にロック保持する役目を成すアンロックペダル４２ｃとの独立させた２つのペダルを備えている。
これにより、ロックペダル４２ｂを下方に踏みつけることで、移動防止兼旋回軸部材４０を押し下げてその下端側をシェルタ本体２０の円周内面に圧接させ、アンロックペダル４２ｃを下方へ踏みつけることで、ロックペダル４２ｂによる下降限ロック状態を解除して移動防止兼旋回軸部材４０をシェルタ本体２０の円周内面から離脱させて上昇限に戻す。
【００７６】
なお、具体的な機構説明図については図示を省略しているが、アンロックペダル４２ｃによってロックペダル４２ｂによる下降限ロック状態が解除された昇降杆部４２ａは、スプリングなどの戻し部材によって上昇限へと戻されて同上昇限にロック保持されるようになっている。
【００７７】
また、移動防止兼旋回軸部材４０は、図８の（ｃ）に示すように、下端側に圧接部材４４を首振り回転自在に取り付けている。これにより、シェルタ本体２０の円周内面に対し移動防止兼旋回軸部材４０の下端側を滑りの無い確実なグリップ力にて圧接されて、シェルタ本体２０の軸芯を通る対角線上に位置して同軸上に取り付けられている突っ張り部材２８との協同で床構成部材２２を、シェルタ本体２０の底部側に円周方向に移動不能で、かつ、水平旋回可能に保持するようにしてなる。
なお、図８の（ｃ）に示すように、圧接部材４４のシェルタ本体２０の円周内面に対する圧接面側に滑り止め効果の高いゴム材４５を取り付けて、シェルタ本体２０の円周内面に対する滑り止めを強化して定着性を向上させるようにすることが好ましい。
【００７８】
また、本実施形態では、内外の両開閉蓋２３ａ，２３ｂによって密閉状（水密状）に閉塞される出入り口２１を、図８の（ａ）に示すように、避難空間Ｍの床部ｍ（適正状態に保たれている床構成部材２２の平坦面部２２ａ）に位置させたシェルタ本体２０の円周部分に開口配置している。
これにより、防災シェルタＡ２が地上に設置されている状態（シェルタ本体２０、床構成部材２２が適正状態に保たれている状態）において、出入り口２１の開口下辺縁の高さに合わせたスロープを有する搬入台Ｃを用いることで（後記の図１０参照）、車椅子使用者を車椅子に乗せたままで避難空間Ｍの床部ｍ上に搬入させて避難させることができる。
【００７９】
≪出入り口の説明≫
出入り口２１は、車椅子使用者を乗せた車椅子を避難空間Ｍに搬入し得る程度の開口高さと幅を有する大きさにて開口されて、前記第２の実施例詳述のように、内外の両開閉扉２３ａ，２３ｂによる二重閉塞構造にて閉塞されるように形成されている。
【００８０】
また、本実施形態では、図示を省略しているが、突っ張り部材２８を中心とする避難空間Ｍの床部ｍ（床構成部材２２の平坦面部２２）に、数台の車椅子の搬入位置に合わせてベルトタイプなどの車椅子固定装置が装備されていて、搬入させた各車椅子を床構成部材２２に固定するようにしている。これにより、激流にのまれてシェルタ本体２０が転がりながら押し流されるときの床構成部材２２の揺れなどによって車椅子が不用意に動かないようにしている。また、避難用の車椅子としては、使用者を固定する２点式などのシートベルトを装備している車椅子を使用することが好ましい。
【００８１】
また、本実施形態においては、図示を省略しているが、シェルタ本体２０の円周内面に沿わせて転動させる転動部材２９が取り付けられる突っ張り部材２８の端部（上端）から三方または四方に等間隔をおいて分岐させた端部材を設けて、当該各端部材に転動部材２９をそれぞれ取り付けてシェルタ本体２０の円周内面に対して３点または４点支持構造にて転動させるように構成することが好ましい。
【００８２】
［作用説明］
つぎに、以上のように構成されている他の実施形態に係る防災シェルタＡ２について簡単に説明する。
図１０は、床構成部材をシェルタ本体の円周方向に移動不能に、かつ、水平旋回可能に保持させた状態を示す防災シェルタの縦断説明図である。ここでは、図８および図９を適宜参照しながら説明する。
前記の実施例詳述のように、災害発生に備えて、屋内、ベランダ、バルコニー、庭先などの設置が可能な場所への設置状態では、災害発生時に直ぐに避難空間Ｍへと避難することができるように、両開閉扉２３ａ，２３ｂを開けた状態にしておく。また、図１０に示すように、上下ロック装置４２のロックペダル４２ｂによって移動防止兼旋回軸部材４０を押し下げて圧接部材４４をシェルタ本体２２の円周内面に押し付け圧接させることで、移動防止兼水平旋回部材４０と突っ張り部材２８との協同で床構成部材２２を、シェルタ本体２０の底部側に円周方向に移動不能に、かつ、水平旋回可能に保持させておく。また、出入り口２１には車椅子用の搬入台Ｃを準備しておく。
【００８３】
そして、地震が発生した場合には、車椅子使用者を車椅子に乗せたまま搬入台Ｃから避難空間Ｍに直ちに搬入避難させる。このとき、数人の車椅子使用者を避難させる場合には、一人目を搬入させた後に、図９に示す矢印Ｘ方向（紙面反時計方向）に床構成部材２２を水平旋回させてつぎに避難させる車椅子使用者の避難スペースを出入り口２１側に確保することを繰り返しながら数人の車椅子使用者を避難空間Ｍに順次に搬入避難させる。また、避難させた車椅子使用者を車椅子に備え付けられている２点式などのシートベルトによって車椅子に固定するとともに、車椅子を避難空間Ｍの床部ｍ（床構成部材２２の平坦面部２２ａ）に装備されている図示省略のベルトタイプなどの車椅子固定装置によって床構成部材２２に固定し、出入り口２１を内外の両開閉扉２３ａ，２３ｂによって閉塞して、家屋の崩壊や津波の到来などに備える。
【００８４】
万が一、家屋の崩壊や津波が到来した場合には、上下ロック装置４２のアンロックペダル４２ｃによって移動防止兼旋回軸部材４０の下降限ロック状態を解除して移動防止兼旋回軸部材４０を上昇限に戻して圧接部材４４をシェルタ本体２０の円周内面から離脱させ（図８の状態）、車椅子使用者とともに避難した付添い人（健常者）は突っ張り部材２８に掴まって床部ｍに身体を安定させる。
そして、前記実施例詳述の図７に示すように、津波による激流によってシェルタ本体２０が転がりながら押し流された場合、避難空間Ｍの床部ｍ（床構成部材２２）はシェルタ本体２０の内側に沿って転動部材２６と突っ張り部材２８および転動部材２９とによって移動可能に支持内設されていることで、シェルタ本体２０のみが回転し、避難空間Ｍの床部ｍは回転することなく適正状態（水平状態）に保たれる。これにより、車椅子使用者や付添い人（健常者）は横転、回転することなく、通常の姿勢を保つことができることで、付添い人は勿論のこと、車椅子使用者に対しても心理的に安心感のもとで身体の安全を確保することをする。
【００８５】
以上、本発明の実施形態の具体例を詳細に説明したが、前記詳述の実施形態は例示にすぎなく、特許請求の範囲を限定するものではない。特許請求の範囲に記載の技術事項には、本発明の要旨を逸脱しない範囲で設計変更などしたものであっても含まれるものである。
例えば、防災シェルタＡにおいて、内側シェル部１ｂを外側シェル部１ａの内側に回転可能に支持する多数の球状体３ａを、外側シェル部１ａの底部側広域において転動可能に介在させた形態に構成することができる。
つまり、図１に示すように、外側シェル部１ａおよび内側シェル部１ｂが適正状態に保たれた状態において避難空間Ｍのバランス部材１１ｂからなる床部ｍの裏側を含めたその周辺の円周広域範囲に多数の球状体３ａを介在させた形態に構成することがきる。この場合、他の部分の球状体３ａによる内側シェル部１ｂの回転支持においては少数の球状体３ａを収容保持させる大きさの球体保持部１０を立ち上げ形成して、外側シェル部１ａの内側（断熱隙間Ｎ）に配置する程度でよい。
【００８６】
また、防災シェルタＡにおいて、各球体保持部１０の回りに空いている断熱隙間Ｎに断熱材を装填するなどによって、断熱効果をより効果的に高めることができる。また、介在部材３として、球状体３ａに代えて、潤滑性の高い素材から板状や凸凹状などに形成された潤滑部材、或いはゲル状の潤滑部材などを断熱隙間Ｎに介在して、外側シェル部１ａの内側に内側シェル部１ｂを回転可能に支持させることができる。
また、球状体３ａに代えて、第２の実施例詳述の転動部材２６や転動部材２９などを適用させて外側シェル部１ａの内側に内側シェル部１ｂを円周の全ての方向に回転し得るように支持させることができる。
【００８７】
また、防災シェルタＡにおいて、外側シェル部１ａを四角形や多角形などの任意の形状に形成して、その内部に軸部材を用いて内側シェル部１ｂを回転可能に支持させた形態とすることができる。
【００８８】
また、防災シェルタＡにおいて、防災シェルタＡ１と同様に、避難空間Ｍの床部ｍにストッパー部材３１を備えて、地上に設置させた状態などにおいて内側シェル部１ｂが外側シェル部１ａの円周方向に回転しないように止めておく形態とすることもできる。
【００８９】
また、球状体３ａを適度の弾性を有する合成樹脂材などから中空状に形成して、内部に空気を封入したり、多少の弾性と硬さを有するゲル材を充填するなどによって、内側シェル部１ｂを外側シェル部１ａの内側に対し回転可能に支持するための適度の硬度を備え、一方、シェルタ本体１が激流などによって転がりながら押し流されたときなどにおいて、倒壊した家屋などの障害物に衝突した際の外部（外側シェル部１ａ）からの衝撃を吸収緩和するようにすることもできる。
【００９０】
また、防災シェルタＡ，Ａ１において、シェルタ本体１，２０は、球形状の形態に限らず、縦断面視で真円の、例えば、ドラム缶のような円筒形状の形態に構成することができる。この場合、出入り部２または出入り口２１は、前記実施例詳述のように円周面部ではなく、平坦な両側端面の一方または双方に備えることができる。そして、このようにシェルタ本体１，２０を円筒形状の形態に構成した場合には避難空間Ｍを筒方向に広く確保することができるなどによって、座部などの他にベッドなどをも装備することができる。
【００９１】
また、シェルタ本体２０においては、分割タイプとして、分割面を突き合わせ接合することにより球形状に構成することができる。例えば、等分２分割や４分割などに形成した分割タイプとして、分割面に備えた接合鍔部間にシール材を介在し、ボルト・ナットにより接合鍔部同士を突合せ接合することで、球形状に構成するようにすることができる。このように分割形態とすることで、トラックなどによる輸送においてコンパクトに運ぶことができる。
【符号の説明】
【００９２】
Ａ，Ａ１，Ａ２  防災シェルタ
Ｍ      避難空間
ｍ      床部
Ｎ      断熱隙間
１，２０  シェルタ本体
１ａ    外側シェル部
１ｂ    内側シェル部
２      出入り部
２ａ，２ｂ  出入り口
３      介在部材
３ａ    球状体
４ａ，４ｂ  開閉扉
５      Ｏリング
６      ヒンジ部材
７      締付け密閉機構
１１ａ，１１ｂ  バランス部材
１２    台座
１３    ポール部材
１５    通水孔
２１    出入り口
２２    床構成部材
２３ａ，２３ｂ  開閉扉
２６，２９  転動部材
２８    突っ張り部材
４０    移動防止兼旋回軸部材
【図１】
2013199259.tif 000003
【図２】
2013199259.tif 000004
【図３】
2013199259.tif 000005
【図４】
2013199259.tif 000006
【図５】
2013199259.tif 000007
【図６】
2013199259.tif 000008
【図７】
2013199259.tif 000009
【図８】
2013199259.tif 000010
【図９】
2013199259.tif 000011
【図１０】
2013199259.tif 000012